(57)【要約】      （修正有）【課題】買い物袋の持ち手に係合して持ちやすくする把手において、買い物袋自体の揺れを低減させることを課題とする。【解決手段】買い物袋用補助把手Ｘとして、買い物袋の持ち手が収まる長さを持つ、並列に配列される複数のローラー２０と、複数のローラー２０をすべての回転中心を通る平面で二分した一方側が開放された状態で回動可能に支持する枠部１０とを設ける。買い物袋の持ち手をローラー２０の開放された側に乗せて枠部１０を持つと、枠部１０が腕の揺れで前後に移動しても、買い物袋の持ち手はローラー２０上を移動し、腕の揺れが買い物袋自体に伝わることが抑制される。【選択図】  図１
2008074484.tif 000002
【特許請求の範囲】
【請求項１】
買い物袋の持ち手が収まる長さを持つ、並列に配列される複数のローラーと、
前記複数のローラーをすべての回転軸を通る面で二分した一方側が開放された状態で回動可能に支持する枠部と
を有する買い物袋用補助把手。
【請求項２】
前記枠部は、２の平行に配列される板体もしくは棒体により形成される請求項１に記載の買い物袋用補助把手。
【請求項３】
前記枠部の前記ローラーを支持する部分には、前記ローラーが回動可能に緩やかに嵌入する穴が形成されており、前記ローラーは両端が当該穴に収まるように支持される請求項１又は２に記載の買い物袋用補助把手。
【請求項４】
前記複数のローラーの回転軸は、中心から外側に向って曲率が大きくなる山なりの曲面上に配列されるものであり、前記枠部は、曲面の頂点側が開放された状態で前記複数のローラーを回動可能に支持する請求項１から３のいずれか１項に記載の買い物袋用補助把手。
【発明の詳細な説明】
【技術分野】
【０００１】
本発明は買い物袋の持ち手に係合し、持ちやすくする把手に関する。
【背景技術】
【０００２】
買い物袋の持ち手は紐状のものが多く、内容量が多い場合は、手に食い込んだりすることがある。これを、緩和するものとして、買い物袋の持ち手に係合して、持ちやすくする補助把手が下記特許文献１から４等に挙げられるように種々提案されている。このような補助把手によれば、把手が硬く、また、持ちやすい太さになるので、指にかかる荷重が分散され、荷物を持ちやすくすることができる。
【特許文献１】特開２００４− ５７３０３号公報
【特許文献２】特開２００３−２１００８号公報
【特許文献３】特開２００２−２１１５８６号公報
【特許文献４】実用新案登録第３０５４３２４号公報
【発明の開示】
【発明が解決しようとする課題】
【０００３】
ところで、従来の補助把手は、買い物袋の持ち手をほぼ固定してしまうものであるために、腕の揺れに合わせて買い物袋が揺れることとなる。一方、元来買い物袋は真直ぐな状態に維持されることが望ましく、そのために、使用者は腕を動かさないように移動する必要があった。しかし、完全に腕を止めて移動するのは困難であり、買い物袋がゆれることを防ぐことは容易ではない。
本発明は、このような問題に鑑みて、買い物袋の持ち手に係合して持ちやすくする把手において、買い物袋自体の揺れを低減させることを課題とする。
【課題を解決するための手段】
【０００４】
上記課題を解決するために、本発明は次のような構成を有する。
請求項１に記載の発明は、買い物袋の持ち手が収まる長さを持つ、並列に配列される風数のローラーと、前記複数のローラーをすべての回転軸を通る面で二分した一方側が開放された状態で回動可能に支持する枠部とを有する買い物袋用補助把手である。このような構成を有する買い物袋用補助把手は、買い物袋の持ち手をローラーの開放された側に乗せて、枠部を持つようにして使用する。
請求項２に記載の発明は、前記買い物袋用補助把手において、前記枠部は２の平行に配列される板体もしくは棒体により形成されるものである。
請求項３に記載の発明は、前記買い物袋用補助把手において、前記枠部の前記ローラーを支持する部分には、前記ローラーが回動可能に緩やかに嵌入する穴が形成されており、前記ローラーは両端が当該穴に収まるように支持されるものである。
請求項４に記載の発明は、前記買い物袋用補助把手において、前記複数のローラーの回転軸は、中心から外側に向って曲率が大きくなる山なりの曲面上に配列されるものであり、前記枠部は、曲面の頂点側が開放された状態で前記複数のローラーを回動可能に支持するものである。
【発明の効果】
【０００５】
請求項１に記載の発明は、買い物袋の持ち手がローラー上に支持されることにより、持ち手を構成する紐の長手方向に沿って自由に移動できることなる。これにより、枠部が腕の揺れで前後に移動しても、買い物袋の持ち手はローラー上を移動し、腕の揺れが買い物袋自体に伝わることを抑制するこができ、この結果として、買い物袋の揺れを低減することができる。
請求項２に記載の発明は、極めて簡易な構成により枠部を形成することができる。
請求項３に記載の発明は、ローラーの両端が支持部分に設けられる穴に緩やかに嵌入することで、ローラーの端に支持している買い物袋の持ち手が挟まることを防ぐことができる。
請求項４に記載の発明は、複数のローラーが中心から外側に向って曲率が大きくなる山なりの曲面上に配列されるので、買い物袋の持ち手は各ローラーに確実に支持されることとなり、買い物袋の持ち手のよりスムーズな移動が可能となる。
【発明を実施するための最良の形態】
【０００６】
以下、本発明の実施の形態について、図面を参照しながら説明する。
図１に本実施形態に係る買い物袋用補助把手Ｘの斜視図を示し、図２に図１のＡ−Ａ断面を示す。買い物袋用補助把手Ｘは２枚の平行に対向する板体１１から形成される枠部１０と、前記板体１１間に並列に回動可能に保持される複数のローラー２０とから構成される。
枠部１０を構成する板体１１は、合成樹脂により構成されるやや厚みのある板体であり、枠部１０の内側を構成する面に、長手方向に沿って複数の有底の丸穴１１ａが設けられている。この丸穴１１ａは、ローラー２０の外径よりもやや大きな外径を有する。また、この丸穴１１ａの中心にはさらにローラー２０の回転軸を軸支する軸穴１１ｂが設けられている。２枚の板体１１は、平均的な大人が手で持った際にちょうど持ちやすい程度の間隔を持つように互いに平行に位置する。また、一方の板体１１の角部には、貫通孔１１ｃが設けられ、この貫通孔１１ｃにキーホルダー用の止め具１２が取り付けられている。
各ローラー２０は、円筒状のローラー本体２１と、ローラー本体２１の内部を貫通し軸しする回転軸２２とから構成される。回転軸は、枠部１０の２枚の板体１１に形成される軸穴１１ｂに固定されており、これにより板体１１同士も互いに固定される。ローラー本体２１の両端は、板体１１の丸穴１１ａ内に回動可能に緩やかに嵌入している。
【０００７】
次に、このような構成を有する買い物袋用補助把手Ｘの使用方法について説明する。図３に使用状態を表す正面図を示す。図に示すように使用に際しては、買い物袋Ａの持ち手Ａ１を合わせて枠部１０に支持される複数のローラー２０に掛ける。この状態で、枠部１０を新たな把手として手で持つ。枠部は硬くある程度の幅を持つので買い物袋の持ち手Ａ１よりも手で持ちやすく、さらに、腕がゆれても回動するローラー２０に支持される買い物袋の持ち手Ａ１はローラー２０上を移動するので、買い物袋Ａ自体がゆれることが抑制され、壊れやすいものなどを運んでも衝撃が少なく、また、移動に際してもあまり邪魔になることがない。なお、買い物袋用把手Ｘを使用しない場合は、止め具１２をベルト通しなどにぶら下げておけば容易に持ち運ぶことができる。
【０００８】
なお、上記実施形態では、複数のローラー２０の回転軸は平面上に並んでいるが、図４に示すように複数のローラー２０の回転軸を中心から外側に向って曲率が大きくなるような山なりの曲面上に配列するようにしてもよい。このようにすることで、ローラー２０に買い物袋の持ち手Ａ１を掛けると、まず、中心の２本に当接し、次にその両側の２本に当接する。以下、順次、外側のローラー２０に当接していくこととなるので、全てのローラー２０が確実に買い物袋の持ち手Ａ１を支持するので、持ち手Ａ1はスムーズに複数のローラー２０上を移動できることとなる。
また、本実施形態では、枠部１０は下方が開放されているが、枠部１０を構成する板体同士の下縁を板などにより連結することで塞いでもよい。
【図面の簡単な説明】
【０００９】
【図１】実施形態に係る買い物袋用補助把手を示す斜視図である。
【図２】図１のＡ−Ａ断面図である。
【図３】買い物袋用補助把手の使用状態を示す正面図である。
【図４】買い物袋用補助把手の変形例を示す縦断面図である。
【符号の説明】
【００１０】
Ｘ       買い物袋用補助把手
Ａ      買い物袋
Ａ１    持ち手
１０    枠部
１１    板体
１１ａ  丸穴
１１ｂ  軸穴
２０    ローラー
２１    ローラー本体
２２    回転軸
【図１】
2008074484.tif 000003
【図２】
2008074484.tif 000004
【図３】
2008074484.tif 000005
【図４】
2008074484.tif 000006